(57)【要約】【課題】  本発明の課題は、偽造防止効果を必要とするセキュリティ印刷物である銀行券、パスポート、有価証券、身分証明書、カード、通行券等の貴重印刷物の分野において、観察することができる画像が入射する光の角度に応じて、異なる画像に変化する潜像印刷物に関する。【解決手段】  基材上の少なくとも一部に印刷画像を有し、印刷画像は、背景要素群と情報要素群から構成され、更に背景要素群は第一の印刷要素群と第二の印刷要素群に区分けされ、第一のインキで第一の印刷要素群、第二のインキで第二の印刷要素群と情報要素群が印刷される。第一のインキと第二のインキは、拡散反射光が支配的な観察角度において等色であり、かつ、正反射光が支配的な観察角度において色彩が異なる特性を持つペアインキであり、情報要素群の面積率と背景要素群の面積率を調整することで、拡散反射光下と正反射光下で画像が変化する潜像印刷物を提供する。【選択図】  図１
2011110745.tif 000002
【特許請求の範囲】
【請求項１】
基材上の少なくとも一部に前記基材と異なる色のインキによって印刷画像が形成された潜像印刷物であって、
前記印刷画像は、要素を複数配置して成る一定の面積率で形成された背景要素群と、前記背景要素群を形成している前記要素と重複しないように、前記要素とは異なる形態の要素を複数配置して成る情報要素群とを有し、
前記背景要素群は、インキの違いによって形成されて成る第一の印刷要素群と第二の印刷要素群に区分けされ、
前記第一の印刷要素群は、第一のインキで形成されて成り、前記第二の印刷要素群及び情報要素群は第二のインキで形成されて成り、
前記第一のインキと前記第二のインキは、前記第一のインキと前記第二のインキを前記基材上に同一の面積率で形成した場合に、拡散反射光が支配的な観察角度において等色であり、かつ、正反射光が支配的な観察角度において色彩が異なり、
前記情報要素群の面積率は、前記背景要素群の面積率以下であり、
拡散反射光が支配的な観察角度領域では印刷画像が観察でき、正反射光が支配的な観察角度領域では第一の印刷要素群のみを観察することができることを特徴とする潜像印刷物。
【請求項２】
前記背景要素群の面積率が２０％〜７５％で形成されたことを特徴とする請求項１記載の潜像印刷物。
【請求項３】
前記背景要素群を形成する前記要素及び前記情報要素群を形成する前記要素は、画素及び／又は画線であることを特徴とする請求項１又は２記載の潜像印刷物。
【請求項４】
前記第一のインキ及び／又は前記第二のインキは、機能性材料を混合して成ることを特徴とする請求項１乃至３のいずれか一項記載の潜像印刷物。
【請求項５】
前記第二のインキが光輝性材料を含むことを特徴とする請求項１乃至４のいずれか一項に記載の潜像印刷物。
【請求項６】
前記光輝性材料が、鱗片状顔料、金属粉顔料、ガラスフレーク、コレステリック液晶顔料であることを特徴とする請求項５に記載の潜像印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、観察することができる画像が入射する光の角度に応じて、異なる画像に変化する潜像印刷物に関わるものである。
【背景技術】
【０００２】
近年のスキャナ、プリンタ、カラーコピー機等のデジタル機器の進展により、貴重印刷物の精巧な複製物を容易に作製することが可能となっている。そのような複製や偽造を防止する偽造防止技術の一つとして、印刷物や観察角度によって画像が変化するホログラムに代表される光学的なセキュリティ要素を貼付したものが多く存在するようになった。
【０００３】
しかし、ホログラムは、インキを用いた印刷によって形成する従来の偽造防止技術とは異なり、複雑な製造工程と特殊な材料を用いて形成されることから、従来の偽造防止用印刷物と比較すると製造に手間がかかり、かつ、極めて高価である。このことから、金属インキ、干渉マイカ、酸化フレークマイカ、顔料コートアルミニウムフレーク、光学的変化フレーク等の特殊な光反射性粉体をインキや塗料に配合し、かつ、特殊な材料同士の重ね合わせや複雑な網点構成を用いることによって、ホログラムと同様な画像変化を実現した、印刷で形成可能な偽造防止用印刷物が出現している。
【０００４】
本出願人は、一般的で、かつ、比較的安価な材料及び簡単な印刷手段を使用していながら、特定の観察角度において、印刷物中の特定部位における人の目に認識される情報が、観察角度を変化させることによって、全く別の情報に変化する偽造防止用情報担持体に係る発明をすでに出願している（例えば、特許文献１及び特許文献２参照）。
【先行技術文献】
【特許文献】
【０００５】
【特許文献１】特許第３３９８７５８号公報
【特許文献２】特開２００８−１８８９７３号公報
【発明の概要】
【発明が解決しようとする課題】
【０００６】
しかしながら、特許文献１に記載の技術に関しては、第１の印刷画像を構成している、光輝性材料を用いて形成された面積率の極めて密な光輝性材料層と、第２の印刷画像を構成している、光輝性材料に比較して可視光吸収性の高い色材料を用いて形成された面積率の極めて疎な色材料層を重ね合わせて、拡散光領域において同色（近似色）に見えるような適切な面積率の疎密差を見極めなければならない。光輝性材料層の上に、光輝性材料層とは色調が異なる色材料層を重ね合わせて画像を形成することから、可視光吸収性の高い色材料の種類と面積率を何通りにも変えて印刷し、第１の印刷画像から第２の印刷画像へ最適なスイッチ性が得られるような適正な条件を見極めるまでに、多大な労力を必要とした。しかも、このような多大な労力を払って形成した印刷物であっても、拡散反射光下の観察において、本来可視化されてはならない潜像画像がわずかながらも視認されてしまうという問題があった。
【０００７】
さらに、特許文献２に記載の技術においては、光輝性材料と透明なインキを重ね合わせて偽造防止印刷物を形成する技術であり、潜像形成に色材料を用いる特許文献１の技術と異なり、潜像を形成するインキは透明であることから、そもそも色調整を行う必要がないこと、また、潜像が拡散反射光下で可視化されることもなく、高い画像のスイッチ性を得ることができる技術であった。しかし、透明なインキを用いることから、品質管理上の問題が生じる懸念があった。例えば、インキが全く印刷されない脱刷トラブルが発生した場合でも、肉眼では不可視である透明なインキを使用していることから、作業者が迅速に品質異常を発見することが難しいという問題があった。
【０００８】
また、特許文献１及び特許文献２の技術は光輝性材料を含んだ画線を形成する必要があることから、オフセット印刷のように、使用可能な顔料径の制限が大きい印刷方式で形成する場合、使用することができる色は、主に金色か銀色に制限されてしまうという問題があり、色彩設計の自由度が極めて低かった。
【０００９】
本発明は、前述した課題の解決を目的とするものであり、拡散反射光下では等色に観察されるが、正反射光下では色彩が異なって観察される二つのインキを用い、特殊な網点構成によって構成する印刷物であって、色彩設計上の自由度が高く、印刷時の色調整が極めて容易であり、かつ、透明なインキを用いないことから脱刷のような致命的な品質管理上のトラブルを抑制することが可能で、かつ、極めて安価に形成することができるスイッチ効果の高い潜像印刷物に関わる。
【課題を解決するための手段】
【００１０】
本発明の潜像印刷物は、基材上の少なくとも一部に基材と異なる色のインキによって印刷画像が形成された潜像印刷物であって、印刷画像は、要素を複数配置して成る一定の面積率で形成された背景要素群と、背景要素群を形成している要素と重複しないように、要素とは異なる形態の要素を複数配置して成る情報要素群とを有し、背景要素群は、インキの違いによって形成されて成る第一の印刷要素群と第二の印刷要素群に区分けされ、第一の印刷要素群は第一のインキで形成されて成り、第二の印刷要素群及び情報要素群は第二のインキで形成されて成り、第一のインキと第二のインキは、第一のインキと第二のインキを基材上に同一の面積率で形成した場合に、拡散反射光が支配的な観察角度において等色であり、かつ、正反射光が支配的な観察角度において色彩が異なり、情報要素群の面積率は、背景要素群の面積率以下であり、拡散反射光が支配的な観察角度領域では印刷画像が観察でき、正反射光が支配的な観察角度領域では第一の印刷要素群のみを観察することができることを特徴とする。
【００１１】
本発明の潜像印刷物は、背景要素群の面積率が２０％〜７５％で形成されたことを特徴とする。
【００１２】
本発明の潜像印刷物は、背景要素群を形成する前記要素及び前記情報要素群を形成する前記要素は、画素及び／又は画線であることを特徴とする。
【００１３】
本発明の潜像印刷物は、第一のインキ及び／又は第二のインキは、機能性材料を混合して成ることを特徴とする。
【００１４】
本発明の潜像印刷物は、第二のインキが光輝性材料を含むことを特徴とする。
【００１５】
本発明の潜像印刷物は、光輝性材料が、鱗片状顔料、金属粉顔料、ガラスフレーク、コレステリック液晶顔料であることを特徴とする。
【発明の効果】
【００１６】
本発明の潜像印刷物の形成において使用する二つのペアインキは、拡散反射光下では等色であることから、印刷物を形成した場合に、それぞれの面積率が同じであれば自動的に等色となる。よって、特許文献１に記載の技術のように印刷時に各インキの色彩や面積率を変えながら最適な等色条件を見出す必要がない。
【００１７】
本発明の潜像印刷物の形成において使用する二つのペアインキは、いずれも透明ではなく、物体色を有する着色インキであることから、脱刷のような致命的な印刷トラブルが発生した場合には、目視による監視で早期に発見することが可能である。
【００１８】
また、本発明の潜像印刷物の形成にあたって、特殊な光輝性材料は必須ではなく、赤や青、黄色等のあらゆる色を用いて形成することが可能であることから、デザイン上の自由度が極めて高い。
【００１９】
以上の手法で形成した潜像印刷物は、生産性の高い印刷方式であるオフセット印刷で製造可能であることからコストパフォーマンスに優れる。
【００２０】
また、インキに機能性材料を含有することが可能なため、最新のデジタル機器を用いたとしても機能性材料が再現されることはなく、スイッチ効果を実現することは不可能であることから、偽造防止効果に優れる。
【図面の簡単な説明】
【００２１】
【図１】（ａ）は本発明における潜像印刷物を示し、（ｂ）は背景要素群を示し、（ｃ）は情報要素群を示す。
【図２】（ａ）は本発明における第一の印刷要素群を示し、（ｂ）は本発明における第二の印刷要素群を示す。
【図３】（ａ）は本発明において第二のインキで形成される第二の印刷要素群と情報要素群を示し、（ｂ）は本発明において第一のインキで形成される第一の印刷要素群を示す。
【図４】第一のインキ、第二のインキの受光角度別の明度Ｌ＊の変化を示す。
【図５】第一のインキと第二のインキの受光角度別の色差ΔＥの変化を示す。
【図６】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図７】（ａ）は本発明の一実施例における潜像印刷物を示し、（ｂ）は背景要素群を示し、（ｃ）は情報要素群を示す。
【図８】（ａ）は本発明の一実施例における第一の印刷要素群を示し、（ｂ）は本発明の一実施例における第二の印刷要素群を示す。
【図９】（ａ）は本発明の一実施例において第二のインキで形成される第二の印刷要素群と情報要素群を示し、（ｂ）は本発明の一実施例において第一のインキで形成される第一の印刷要素群を示す。
【図１０】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図１１】（ａ）は本発明の一実施例における潜像印刷物を示し、（ｂ）は背景要素群を示し、（ｃ）は情報要素群を示す。
【図１２】（ａ）は本発明の一実施例における第一の印刷要素群を示し、（ｂ）は本発明の一実施例における第二の印刷要素群を示す。
【図１３】（ａ）は本発明の一実施例において第二のインキで形成される第二の印刷要素群と情報要素群を示し、（ｂ）は本発明の一実施例において第一のインキで形成される第一の印刷要素群を示す。
【図１４】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図１５】（ａ）は本発明の一実施例における潜像印刷物を示し、（ｂ）は背景要素群を示し、（ｃ）は情報要素群を示す。
【図１６】（ａ）は本発明の一実施例における第一の印刷要素群を示し、（ｂ）は本発明の一実施例における第二の印刷要素群を示す。
【図１７】（ａ）は本発明の一実施例において第二のインキで形成される第二の印刷要素群と情報要素群を示し、（ｂ）は本発明の一実施例において第一のインキで形成される第一の印刷要素群を示す。
【図１８】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図１９】（ａ）は本発明の一実施例における潜像印刷物を示し、（ｂ）は背景要素群を示し、（ｃ）は情報要素群を示す。
【図２０】（ａ）は本発明の一実施例における第一の印刷要素群を示し、（ｂ）は本発明の一実施例における第二の印刷要素群を示す。
【図２１】（ａ）は本発明の一実施例において第二のインキで形成される第二の印刷要素群と情報要素群を示し、（ｂ）は本発明の一実施例において第一のインキで形成される第一の印刷要素群を示す。
【図２２】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図２３】（ａ）は本発明の一実施例における潜像印刷物を示し、（ｂ）は背景要素群を示し、（ｃ）は情報要素群を示す。
【図２４】（ａ）は本発明の一実施例における第一の印刷要素群を示し、（ｂ）は本発明の一実施例における第二の印刷要素群を示す。
【図２５】（ａ）は本発明の一実施例において第二のインキで形成される第二の印刷要素群と情報要素群を示し、（ｂ）は本発明の一実施例において第一のインキで形成される第一の印刷要素群を示す。
【図２６】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【図２７】（ａ）は本発明の一実施例における潜像印刷物を示し、（ｂ）は背景要素群を示し、（ｃ）は情報要素群を示す。
【図２８】（ａ）は本発明の一実施例における第一の印刷要素群を示し、（ｂ）は本発明の一実施例における第二の印刷要素群を示す。
【図２９】（ａ）は本発明の一実施例において第二のインキで形成される第二の印刷要素群と情報要素群を示し、（ｂ）は本発明の一実施例において第一のインキで形成される第一の印刷要素群を示す。
【図３０】（ａ）は観察者の視点が、拡散反射光が支配的な観察角度領域にある場合、潜像印刷物中に現れる画像を示し、（ｂ）は観察者の視点が、正反射光が支配的な観察角度領域にある場合、潜像印刷物中に現れる画像を示す。
【発明を実施するための形態】
【００２２】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２３】
図１（ａ）に、本発明における潜像印刷物（１）を示す。潜像印刷物（１）は、基材（２）の上に、基材と異なる色を有する印刷画像（３）が形成されており、印刷画像（３）は、図１（ｂ）に示す背景要素群（４）と、図１（ｃ）に示す情報要素群（５）から構成されている。図１（ｂ）に示す背景要素群（４）は、一定の形態を成す要素（６）が規則的に配置されることで一定の階調（濃度）を有して視認される。図１（ｃ）に示す情報要素群（５）は、背景要素群（４）を形成している要素（６）と異なる形態を成す要素（７）が、背景要素群（４）を形成している要素（６）と重複しないように配置されて成る。つまり、印刷画像（３）は、背景要素群（４）を形成している複数の要素（６）が作り出しているフラットな階調の中に、情報要素群（５）を形成している要素（７）が配置されることで、その配置された部分に背景要素群（４）よりも高い面積率の部分が生じ、その面積率の差によって階調差（濃淡）が生まれ「Ａ」の文字が視認されることとなる。
【００２４】
本発明における「背景要素群（４）を形成する要素（６）」とは、画素及び／又は画線のことであり、「情報要素群（５）を形成する要素（７）」とは、画素及び／又は画線のことである。また、本発明における「画素」とは、印刷画像（３）を形成する一要素として用い、濃淡の変化を面積率（点の大小）で表現する網点形状のことである。また、「画線」とは、点線や破線の分断線、直線、曲線及び波線のことであり、如何なる画線形状で構成しても本発明の技術思想に含まれる。また、「面積率」とは、印刷領域の一定面積中に占める要素（画素又は画線）の割合のことである。
【００２５】
前述した「情報要素群（５）は、背景要素群（４）を形成している要素（６）と異なる形態を成す要素（７）が、背景要素群（４）を形成している要素（６）と重複しないように配置される」における「異なる形態」とは、大きさ、形状、位相のいずれかが異なっていれば良い。
【００２６】
本発明において、背景要素群（４）を形成する要素（６）は、画素及び／又は画線から成り、情報要素群（５）を形成する要素（７）は、画素及び／又は画線から成る。ただし、情報要素群（５）の場合、要素（７）の一つである四角い形状の画素を隙間なく隣接させて配置することで、ベタ画像の形態としても良く、更に、画素の大小又は粗密によって階調画像の形態としても良い。このように、情報要素群（５）の要素（７）においては、背景要素群（４）の要素（６）と重複しないように、印刷画像（３）中の一部の面積率を異ならせる形態であれば如何なる形態であっても良い。また、背景要素群（４）を形成する要素（６）と、情報要素群（５）を形成する要素（７）の組み合わせについては、すべての組み合わせにおいて本発明の潜像印刷物が作製可能である。なお、本発明を実施するための形態においては、背景要素群（４）を形成している要素（６）及び情報要素群（５）を形成している要素（７）が網点の場合で説明する。
【００２７】
図１に示す潜像印刷物（１）の場合、図１（ｂ）に示す背景要素群（４）は、一定の大きさの網点を成す要素（６）が規則的に複数配置されることで一定の階調を有して視認され、図１（ｃ）に示す情報要素群（５）は、背景要素群（４）を形成している要素（６）よりも大きい直径の中抜きの網点から成る要素（７）が、背景要素群（４）を形成している要素（６）と重複しないように規則的に複数配置されて成る。
【００２８】
このように、印刷画像（３）は、背景要素群（４）を形成している複数の要素（６）が作り出しているフラットな階調の中に、情報要素群（５）を形成している要素（７）が配置されることで、その配置された部分に背景要素群（４）よりも高い階調の部分が生じ、その階調差が生じた部分によって「Ａ」の文字が形成される。
【００２９】
なお、本実施の形態においては、背景要素群（４）が一定の大きさの網点を成す複数の要素（６）から形成され、情報要素群（５）が背景要素群（４）を形成している要素（６）よりも大きい直径の中抜きの網点から成る複数の要素（７）から形成される場合で説明するが、この形態に限定される必要はなく、本発明は、フラットな階調を有する背景要素群（４）に対して階調差を生じるように、情報要素群（５）を形成している複数の要素（７）によって面積率を異ならせる形態であれば良い。
【００３０】
例えば、背景要素群（４）を形成する網点と網点の間に、情報要素群（５）を形成する網点の位相をずらして配置する形態、背景要素群（４）を形成する網点以外の領域の一部に、ベタ画像（画素を隙間なく隣接させて配置して成る画像）の中に情報要素群（５）を形成する白抜きを配置する形態、背景要素群（４）を形成する網点以外の領域の一部に、情報要素群（５）を形成するベタ画像（画素を隙間なく隣接させて配置して成る画像）を配置する形態、背景要素群（４）を形成する画線と画線間に、情報要素群（５）を形成する画線を隣接するように配置する形態、背景要素群（４）を形成する網点以外の領域の一部に、情報要素群（５）を形成する階調画像を配置する形態などが挙げられる。これらの形態については、後述する実施例１から実施例６の中で具体的に説明する。
【００３１】
背景要素群（４）を形成している要素（６）と、情報要素群（５）を形成している要素（７）は、重複しないように形成する必要がある。これは、背景要素群（４）を形成している要素（６）と、情報要素群（５）を形成している要素（７）を重複して形成すると、重複した部分だけ階調が上がってしまい、本発明の潜像印刷物（１）を拡散反射光下で観察した際、本来、視認できないはずの第一の印刷要素群（８）が構成する「ＯＫ」の文字が視認されてしまう問題が生じるためである。
【００３２】
図２に、背景要素群（４）を構成している二つの要素群を示す。図２（ａ）は、第一の印刷要素群（８）を示し、図２（ｂ）は、第二の印刷要素群（９）を示す。（ａ）に示す第一の印刷要素群（８）は、アルファベットの「ＯＫ」の文字を成す構成であり、（ｂ）に示す第二の印刷要素群（９）は、背景要素群（４）の中から第一の印刷要素群（８）の「ＯＫ」の文字を抜いた構成となっている。以上のように、第一の印刷要素群（８）と第二の印刷要素群（９）は、ペア画像となっており、第一の印刷要素群（８）が構成する文字や記号等の有意味画像は、第二の印刷要素群（９）によってカモフラージュされ、一定の階調を有する背景要素群（４）の中に隠される構成となっている。
【００３３】
第一の印刷要素群（８）が、第二の印刷要素群（９）によってカモフラージュされ、一定の階調を有する背景要素群（４）の中に隠される構成とするため、第一の印刷要素群（８）の面積率と第二の印刷要素群（９）の面積率は同じである。
【００３４】
図３に、本発明において第一のインキと第二のインキで形成されて成る、それぞれの画像を示す。（ａ）は、第二のインキで形成する画像であり、情報要素群（５）と第二の印刷要素群（９）が組み合わさった構成となっている。（ｂ）は、第一のインキで形成する画像であり、第一の印刷要素群（８）のみで構成されている。
【００３５】
以上のように、第一のインキで形成された第一の印刷要素群（８）と第二のインキで形成された第二の印刷要素群（９）が組み合わさって背景要素群（４）を形成し、背景要素群（４）に第二のインキで形成された情報要素群（５）が加わることによって、本発明における潜像印刷物に形成されて成る印刷画像（３）が構成されている。
【００３６】
次に、本発明で用いる第一のインキと第二のインキについて説明する。第一のインキと第二のインキは物体色が同じであって、反射率や干渉色が異なるインキである。すなわち、第一のインキと第二のインキを、基材（２）にそれぞれ同じ面積率で形成をした場合、拡散反射光下で観察すると等色に観察される特性を有し、かつ、正反射光下で観察すると色彩が異なって観察されることを特徴とする。この理由について、以下に説明する。
【００３７】
なお、本発明における「正反射光下」とは、光源から潜像印刷物に入射角度―４５°で光が入射した場合、受光角度４５°近傍の領域の強い反射光が生じている状況のことであり、この領域は、正反射光が多く存在し、受光角度４５°近傍の範囲は、使用する基材及び使用するペアインキによって異なる。また、「拡散反射光下」とは、正反射光下の領域以外の領域のことである。
【００３８】
本発明における「色彩が異なる」とは、色相、明度又は彩度のうちのどれかが異なるか、もしくは、それらの組み合わせが異なることをいう。一例としては、二つのペアインキ間で光沢度の異なるインキを使用した場合には、インキ間の明度に差が生じることによって、異なる色彩に見える。また、二つのペアインキのうちのいずれかに、パール顔料のように正反射時に特定の干渉色を発する特性を有する顔料を混合して用いた場合は、主にインキ間の色調（色相と彩度）に差が生じることによって、異なる色彩に見える。
【００３９】
また、本発明における「等色」とは、色度値が一致する測色的な等色であっても良く、人間の知覚的な等色であっても良いが、測色的な等色においては、色差ΔＥが３以下の場合を等色という。
【００４０】
まず、基材上（２）に、第一のインキで形成した印刷サンプルと、第二のインキで形成した印刷サンプルの反射特性の違いについて説明する。受光角度に応じた反射率の変化を表すために、反射率の測定値は明度Ｌ＊を用いて説明する。測定するためのサンプルは、基材（２）として一般的な白色コート紙を使用し、第一のインキ及び第二のインキを１００％のベタ印刷したものを用いた。測定に用いた第一のインキは灰色のマットインキであり、第二のインキは灰色のグロスインキである。また、明度変化の測定にあたっては、変角分光測色システムＧＣＭＳ−４型〔村上色彩技術研究所製〕を用いた。
【００４１】
これ以後、説明を明瞭にするために「基材（２）上に第一のインキで形成された印刷サンプル」は、「第一のサンプル」と記載し、また「基材（２）上に第二のインキで形成された印刷サンプル」は、「第二のサンプル」と記載する。
【００４２】
また、図４に、受光角度が変化した場合の、第一のサンプル及び第二のサンプルにおける明度Ｌ＊の変化を示す。グラフ１０は、第一のサンプルの明度Ｌ＊の受光角度別の変化を表すものであり、グラフ１１は、第二のサンプルの明度Ｌ＊の受光角度別の変化を表すものである。グラフ１０とグラフ１１は、受光角度が−３０°〜４０°の範囲ではほぼ同じ値であるものの、受光角度４５°を中心として、その近傍のプラスマイナス５°前後で大きく変化していることがわかる。以下、本明細書においては、この明度が大きく変化する４０°〜５０°の観察角度領域を正反射光が支配的な観察角度領域と記載し、それ以外の観察角度領域を拡散反射光が支配的な観察角度領域と記載する。なお、この二つの支配的な反射光の性質が異なる角度範囲は、被印刷基材の表面性やインキの反射特性によって変化するものであり、この角度に限定するものではない。
【００４３】
この明度の変化は、二つのサンプルにおける色の違いとして観察者には認識される。図５におけるグラフ１２は、第一のサンプルと第二のサンプルの受光角度別の色差ΔＥを示すものである。受光角度−３０°〜４０°にかけては、色差ΔＥの値はほぼ零であることから、第一のサンプルと第二のサンプルは目視上等色に認識されるものの、受光角度が４５°に近づくに従がって色差ΔＥは大きくなり、受光角度４５°では色差ΔＥは２５０近傍まで上昇しており、観察者には、第一のサンプルと第二のサンプルが異なる色として認識されることを示している。
【００４４】
よって、第一のインキで形成された印刷要素と第二のインキで形成された印刷要素は、面積率が等しい場合には、拡散反射光が支配的な観察角度領域において等しい色として観察され、正反射光が支配的な観察角度領域において異なる色として観察されることがわかる。
【００４５】
以上の結果を踏まえて、本発明の潜像印刷物（１）の効果について説明する。本発明の潜像印刷物（１）を拡散反射光が支配的な観察角度領域で観察した場合には、第一のインキで形成された第一の印刷要素群（８）と、第二のインキで形成された第二の印刷要素群（９）は、面積率が同じであることから等色に視認され、第一の印刷要素群（８）が示す「ＯＫ」の文字は第二の印刷要素群によって完全にカモフラージュされる。観察者には、第一の印刷要素群（８）及び第二の印刷要素群（９）が組み合わさって形成したフラットな階調を有した背景要素群（４）の中に、面積率の違いによって形成された「Ａ」の文字から成る情報要素群（５）が、背景要素群（４）より濃い色を有して観察される。すなわち、図６（ａ）に示す印刷画像（３）が基材（２）よりも濃い色で視認される。
【００４６】
また、本発明の潜像印刷物（１）を正反射光が支配的な観察角度領域で観察した場合には、第一のインキで形成された第一の印刷要素群（８）は、第二のインキで形成された第二の印刷要素群（９）及び情報要素群（５）よりも暗く視認され、かつ、第二のインキで形成された第二の印刷要素群（９）及び情報要素群（５）は、明度が大きく上昇する（淡い色に変化する）ことによって第二の印刷要素群（９）と情報要素群（５）間の階調差が目視上圧縮されて一定のトーンに集束することで、情報要素群（５）は視認困難となることから、観察者には、図６（ｂ）に示すように「ＯＫ」の文字から成る第一の印刷要素群（８）のみが強調されて視認される。
【００４７】
以上のように、本発明の潜像印刷物（１）を拡散反射光が支配的な観察角度領域で観察した場合には、背景要素群（４）の中に異なる面積率の部分が生じ、「Ａ」の文字から成る印刷画像（３）が視認され、正反射光が支配的な観察角度領域で観察した場合には、第一のインキによって形成される「ＯＫ」の文字から成る第一の印刷要素群（７）のみが視認される。このように、観察する角度の違いや、入射する光の角度の変化によって、全く相関のない異なる画像が視認されるため、真偽判別性に優れる。
【００４８】
これまで、ペアインキは、基材上にそれぞれ同じ面積率で形成をした場合、拡散反射光下で観察すると等色に観察される特性を有し、かつ、正反射光下で観察すると色彩が異なる色に観察される必要があることは述べてきたが、この条件のペアインキは、例えば、市販されている高光沢なニスと低光沢なニスに、それぞれ同じインキか、同じ顔料を等量混合することで容易に作製することができる。このように、極めて簡単な方法でペアインキを作製した場合でも、ニスの光沢度の違いによって正反射光領域で大きな明度の違いが生じ、本発明の効果を得ることができる。より高い効果を求める場合や、蛍光発光機能や赤外線認証機能の付与を意図する場合には、光輝性材料や蛍光顔料、赤外線吸収材料等の各種機能性材料をそれぞれのペアインキに混合すれば良い。
【００４９】
また、第一のインキ及び第二のインキは、いずれの色彩のインキを用いても本発明の潜像印刷物は形成可能である。ただし、着色力の強い濃いインキではなく淡いインキを用いることが望ましい。これは、本発明の効果の一つである正反射光が支配的な観察角度領域における観察において、第一の印刷要素群のみが観察される効果を得るためには、この観察角度領域において、第二のインキの明度が急激に上昇することで、第二の印刷要素群と情報要素群間にある階調差が一定のトーンに収束する効果を得る必要があるが、黒や藍、紅等の濃いインキで本潜像印刷物を形成している場合、この階調差を圧縮する効果よりインキの色の濃さが勝ることで、情報要素群を完全に消失させることが難しくなるためである。濃いインキを用いた場合でも、情報要素群の面積率を小さく制限することによって、淡いインキを用いたのと同じ効果を得ることは可能であるが、過剰に小さな網点は印刷品質が安定しない場合が多いことから、淡いインキを用いることが望ましい。
【００５０】
背景要素群となる第一の印刷要素群及び第二の印刷要素群の面積率は、大きく形成した方が第一の印刷要素群の視認性は高くなる。用いるインキの色彩によって最適な条件を見極める必要があるが、面積率は２０％から７５％までの範囲内とする。これは、背景要素群の面積率を２０％より小さく形成し過ぎると、正反射時に第一の印刷要素群が容易には目視できない程度の視認性しか得られなくなるためであり、また、背景要素群の面積率を７５％より大きく形成し過ぎると必然的に情報要素群の面積率を低くせざるを得ず、情報要素群の視認性が低くなるためである。
【００５１】
また、情報要素群の面積率は、実施の形態や後述する実施例１、２、４、５及び６のような情報要素群をポジ画像と形成する場合には、ある程度小さく制限する必要がある。用いるインキの色彩や背景要素群の面積率に影響を受けるため最適な条件を見極める必要があるが、面積率は１０％以上で、背景要素群の面積率を超えない範囲内とする。これは、情報要素群の面積率を１０％より小さく形成し過ぎた場合は、印刷画像中の情報要素群の視認性が低くなるためであり、また、情報要素群の面積率が背景要素群の面積率を超えてしまう場合には、正反射光が支配的な観察角度領域において情報要素群と背景要素群が一定のトーンに収束する効果が不十分となり、情報要素群が第一の印刷要素群と交じり合って出現してしまうため、過度に大きな面積率で情報要素群を形成してはならない。
【００５２】
後述する実施例３のように、情報要素群をネガ画像で形成する場合は、白抜きにあたる非印刷面積を１０％以上２５％以下に留める。これは、ポジ画像で形成する場合と同様に、正反射光が支配的な観察角度領域において情報要素群が第一の印刷要素群と交じり合って出現することを防ぐためである。
【００５３】
第一のインキ及び／又は第二のインキには、機能性材料を混合して特殊な認証機能を付与しても良い。例えば、第一のインキ又は第二のインキ、もしくは両方のインキに発光顔料を混合して、ブラックライト照射時にいずれかの印刷要素群が発光する特性を付与したり、赤外線吸収材料を混合して赤外線による認証機能を付与したりすることが可能である。その他にも、燐光顔料、蓄光顔料、フォトクロミック顔料、示温材料、サーモクロミック材料等が挙げられる。
【００５４】
基材として、上質紙のように光沢が低く、インキ樹脂成分が内部に浸透する傾向の強い用紙を使用する場合には、インキの樹脂成分の光沢が異なるだけでは、ペアインキ間で十分な光沢差が生じない場合が多い。このような場合には、第二のインキに光輝性材料を混合することが望ましい。光輝性顔料は、インキの樹脂成分のように用紙内に浸透せずに、用紙表面に留まって光を反射することから、第二のインキに光輝性材料を混合することで、上質紙上でも十分な反射効果を得ることが可能となる。
【００５５】
また、基材として、コート紙のように光沢が高く、インキ樹脂成分が内部に浸透する傾向の弱い用紙を使用する場合には、第二インキに光輝性材料を混合しなくても本発明の効果を奏する。しかし、第二インキに光輝性材料を混合しても問題はなく、その場合、視認性がさらに向上することとなる。
【００５６】
本発明における潜像印刷物の印刷方式は、オフセット印刷、フレキソ印刷、凸版印刷、グラビア印刷、スクリーン印刷、凹版印刷等のあらゆる印刷方式で形成することが可能である。また、浸透性の高いインクを用いることが可能であればＩＪＰ等でも形成でき、この場合には一枚、一枚の出力物の情報を変える、いわゆる可変印刷を実施することができる。
【００５７】
また、本発明の潜像印刷物（１）を形成するための要素の構成については、実施の形態に記載の構成に制限されるものではない。要素の構成としては、第一の印刷要素群（８）及び第二の印刷要素群（９）とが組み合わさって一定の背景要素群（４）を構成し、かつ、背景要素群（４）と異なる面積率で情報要素群（５）が形成されることで、印刷画像が構成されていれば良い。
【００５８】
以下、前述の発明を実施するための形態にしたがって、具体的に作製した潜像印刷物の実施例について詳細に説明するが、本発明は、この実施例に限定されるものではない。
【実施例１】
【００５９】
本発明の実施例１について、図７から図１０を用いて説明をする。実施例１では、基材（２−１）として白色のコート紙（日本製紙株式会社製）を用いた。
【００６０】
図７（ａ）に、本発明における潜像印刷物（１−１）を示す。潜像印刷物（１−１）は、基材（２−１）の上に、基材と異なる色を有する印刷画像（３−１）が形成されており、印刷画像（３−１）は、図７（ｂ）に示す背景要素群（４−１）と図７（ｃ）に示す情報要素群（５−１）から構成されている。図７（ｂ）に示す背景要素群（４−１）は、直径１．２５ｍｍの網点を成した要素（６−１）が２ｍｍピッチで規則的に配置されることで一定の階調を有して視認される。また、図７（ｃ）に示す情報要素群（５−１）は、背景要素群（４−１）を形成している要素（６−１）よりも大きな直径１．７５ｍｍで画線幅０．１ｍｍの中抜きの網点から成る要素（７−１）を有し、背景要素群（４−１）と重複しないように２ｍｍピッチで規則的に配置されて成る。以上のように、印刷画像（３−１）は、背景要素群（４−１）を形成している複数の要素（６−１）が作り出しているフラットな階調の中に、情報要素群（５−１）を形成している要素（７−１）が配置されることで、その配置された部分に背景要素群（４−１）よりも高い面積率の部分が生じ、その面積率の差によって階調差（濃淡）が生まれるために、観察者には「Ａ」の文字が視認される。本実施例１において、背景要素群（４−１）の面積率は約３１％であり、情報要素群（５−１）の面積率は１３％である。
【００６１】
図８に、背景要素群（４−１）を構成している二つの要素群を示す。図８（ａ）に第一の印刷要素群（８−１）を示し、図８（ｂ）に第二の印刷要素群（９−１）を示す。（ａ）に示す第一の印刷要素群（８−１）は、アルファベットの「ＯＫ」の文字を示す構成であり、（ｂ）に示す第二の印刷要素群（９−１）は、背景要素群（４−１）の中から第一の印刷要素群（８−１）の「ＯＫ」の文字を抜いた構成となっている。
【００６２】
図９に、第一のインキと第二のインキで形成されて成る、それぞれの画像を示す。（ａ）は、第二のインキで形成する画像であり、情報要素群（５−１）と第二の印刷要素群（９−１）が組み合わさった構成となっている。図９（ａ）に示す画像を表１に示す配合で作製した第二のインキを用いてオフセット印刷で基材（２−１）上に印刷した。（ｂ）は、第一のインキで形成する画像であり、第一の印刷要素群（８−１）のみで構成されている。図９（ｂ）に示す画像を、表２に示す配合で作製した第一のインキを用いてオフセット印刷で基材（２−１）上に印刷した。
【００６３】
【表１】
2011110745.tif 000003
【００６４】
【表２】
2011110745.tif 000004
【００６５】
第一のインキと第二のインキは灰色であって、第一のインキは第二のインキよりも低光沢である。第一のインキと第二のインキは、基材に同じ面積率で印刷した場合には拡散反射光が支配的な観察角度領域における観察において等色に観察され、正反射光が支配的な観察角度領域における観察では色彩が異なり、第一のインキで印刷した画像が第二のインキで印刷した画像よりも暗く見える。
【００６６】
本発明の実施例１における効果について、図１０を用いて説明する。本発明の潜像印刷物（１−１）を拡散反射光が支配的な観察角度で観察した場合には、第一のインキで形成された第一の印刷要素群（８−１）と、第二のインキで形成された第二の印刷要素群（９−１）は、ほぼ等色に視認されることから、観察者には、図１０（ａ）に示す印刷画像（３−１）が、灰色で視認することができる。
【００６７】
また、本発明の潜像印刷物（１−１）を正反射光が支配的な観察角度で観察した場合には、第二のインキで形成された第二の印刷要素群（９−１）及び情報要素群（５−１）は、光を強く反射することで淡く知覚されてフラットな単一な階調として視認され、第一のインキで形成された第一の印刷要素群（８−１）は、第二のインキで形成された第二の印刷要素群（９−１）及び情報要素群（５−１）よりも暗く視認されることから、観察者には、図１０（ｂ）に示すように第一のインキによって形成される「ＯＫ」の文字から成る第一の印刷要素群（８−１）のみを視認することができる。
【００６８】
以上のように、拡散反射光が支配的な観察角度領域で観察した場合には、背景要素群（４−１）の中に情報要素群（５−１）を形成することでインキ間の光沢差よりも面積率の差によって生じた濃淡が強調されて、「Ａ」の文字から成る印刷画像（３−１）が灰色で視認され、正反射光が支配的な観察角度領域で観察した場合には、第一のインキによって形成される「ＯＫ」の文字から成る第一の印刷要素群（８−１）が視認される。このように、拡散反射光が支配的な環境下と正反射光が支配的な環境下の観察において、全く相関のない異なる画像を確認することができた。
【実施例２】
【００６９】
本発明の実施例２について、図１１から図１４を用いて説明をする。実施例２では、基材（２−２）として一般的な白い色の上質紙（日本製紙株式会社製）を用いた。
【００７０】
図１１（ａ）に、本発明における潜像印刷物（１−２）を示す。潜像印刷物（１−２）は、基材（２−２）の上に、基材と異なる色を有する印刷画像（３−２）が形成されており、印刷画像（３−２）は、図１１（ｂ）に示す背景要素群（４−２）と図１１（ｃ）に示す情報要素群（５−２）から構成されている。図１１（ｂ）に示す背景要素群（４−２）は、直径０．３ｍｍの網点を成した要素（６−２）が、０．４５ｍｍピッチで規則的に配置されることで一定の階調を有して視認される。また、図１１（ｃ）に示す情報要素群（５−２）は、背景要素群（４−２）を形成している要素（６−２）より小さな直径０．２５ｍｍの網点を成した要素（７−２）が、背景要素群（４−２）と重複しないように０．４５ｍｍピッチで規則的に配置されて成る。以上のことから、背景要素群（４−２）を構成している要素（６−２）と、情報要素群（５−２）を構成している要素（７−２）とは、上下左右に０．２２５ｍｍ位相が異なっていることから、重なりあう部位は存在しない。よって、印刷画像（３−２）は、背景要素群（４−２）を形成している複数の要素（６−２）が作り出したフラットな階調の中に、情報要素群（５−２）を形成している要素（７−２）が配置されることで、その配置された部分に背景要素群（４−２）よりも高い面積率となり、その面積率の差によって濃淡が生まれて「ＣＯＰＹ」の文字が視認される。本実施例２において、背景要素群（４−２）の面積率は約３５％であり、情報要素群（５−２）の面積率は２４％である。
【００７１】
なお、図１１（ａ）の一部拡大図に示す背景要素群（４−２）を形成している要素（６−２）は、横縞の画線で図示しており、情報要素群（５−２）を形成している要素（７−２）は、縦縞の画線で図示しているが、それぞれを区別しやすくするために横縞と縦縞で図示しているのであって、実際は横縞及び縦縞の画線で形成されているわけではない。また、これ以降の図面においても、背景要素群を形成している要素及び情報要素群を形成している要素を、横縞及び縦縞の画線で図示しているが、これらについても前述同様、それぞれを区別しやすくするために横縞と縦縞で図示しているのであって、実際は横縞及び縦縞の画線で形成されているわけではない。
【００７２】
図１２に、背景要素群（４−２）を構成している二つの要素群を示す。図１２（ａ）に第一の印刷要素群（８−２）を示し、図１２（ｂ）に第二の印刷要素群（９−２）を示す。（ａ）に示す第一の印刷要素群（８−２）は、アルファベットの「ＯＫ」の文字を示す構成であり、（ｂ）に示す第二の印刷要素群（９−２）は、背景要素群（４−２）の中から第一の印刷要素群（８−２）の「ＯＫ」の文字を抜いた構成となっている。
【００７３】
図１３に、第一のインキと第二のインキで形成されて成る、それぞれの画像を示す。（ａ）は、第二のインキで形成する画像であり、情報要素群（５−２）と第二の印刷要素群（９−２）が組み合わさった構成となっている。図１３（ａ）に示す画像を、光輝性材料を含んだ銀色のメタリックインキ（Ｔ＆Ｋ  ＴＯＫＡ製  ＵＶ  ＮＯ３  シルバー）を用いてオフセット印刷で基材（２−２）上に印刷した。（ｂ）は、第一のインキで形成する画像であり、第一の印刷要素群（８−２）のみで構成されている。図１３（ｂ）に示す画像を表３に示す配合で作製した第二のインキを用いてオフセット印刷で基材（２−２）上に印刷した。
【００７４】
【表３】
2011110745.tif 000005
【００７５】
第一のインキと第二のインキは灰色であって、第一のインキは第二のインキよりも低光沢である。第一のインキと第二のインキは、基材に同じ面積率で印刷した場合には、拡散反射光が支配的な観察角度領域における観察において等色に観察され、正反射光が支配的な観察角度領域における観察では色彩が異なり、第一のインキで印刷した画像が第二のインキで印刷した画像よりも暗く見える。また、本実施例２では、基材が上質紙であることからニスのような樹脂成分だけでは充分な光沢を得られない。このため、光輝性材料を含んだ銀色のメタリックインキを使用している。
【００７６】
本発明の実施例２における効果について、図１４を用いて説明する。本発明の潜像印刷物（１−２）を拡散反射光が支配的な観察角度領域で観察した場合には、第一のインキで形成された第一の印刷要素群（８−２）と、第二のインキで形成された第二の印刷要素群（９−２）は、ほぼ等色に視認されることから、観察者には、図１４（ａ）に示す「ＣＯＰＹ」の文字から成る印刷画像（３−２）が、灰色で視認することができる。
【００７７】
また、本発明の潜像印刷物（１−２）を正反射が支配的な観察角度領域で観察した場合には、第二のインキで形成された第二の印刷要素群（９−２）及び情報要素群（５−２）は、光を強く反射することで淡く知覚されてフラットの単一な階調として視認され、第一のインキで形成された第一の印刷要素群（８−２）は、第二のインキで形成された第一の印刷要素群（９−２）及び情報要素群（５−２）よりも暗く視認されることから、観察者には、図１４（ｂ）に示すように第一のインキによって形成される「ＯＫ」の文字から成る第一の印刷要素群（８−２）のみを視認することができる。
【００７８】
以上のように、拡散反射光が支配的な観察角度領域で観察した場合には、背景要素群（４−２）の中に情報要素群（５−２）を形成することでインキ間の光沢差よりも面積率の差によって生じた濃淡が強調されることで「ＣＯＰＹ」の文字から成る印刷画像（３−２）が基材（２−２）よりも濃く視認され、正反射光が支配的な観察角度領域で観察した場合には、第一のインキによって形成される「ＯＫ」の文字から成る第一の印刷要素群（８−２）が基材（２−２）よりも暗く視認される。このように、拡散反射光が支配的な環境下と正反射光が支配的な環境下の観察において、全く相関のない異なる画像を確認することができた。
【実施例３】
【００７９】
本発明の実施例３について、図１５から図１８を用いて説明をする。実施例３では、基材（２−３）として一般的な白い色のコート紙（日本製紙株式会社製）を用いた。
【００８０】
図１５（ａ）に、本発明における潜像印刷物（１−３）を示す。潜像印刷物（１−３）は、基材（２−３）の上に、基材と異なる色を有する印刷画像（３−３）が形成されており、印刷画像（３−３）は、図１５（ｂ）に示す背景要素群（４−３）と図１５（ｃ）に示す情報要素群（５−３）から構成されている。図１５（ｂ）に示す背景要素群（４−３）は、直径０．３ｍｍの網点を成した要素（６−３）が、０．４５ｍｍピッチで規則的に配置されることで一定の階調を有して視認される。また、図１５（ｃ）に示す情報要素群（５−３）は、背景要素群（４−３）を形成している要素（６−３）を取り囲むベタの中に直径０．１５ｍｍの白抜きの要素（非印刷部）（７−３）が０．４５ｍｍピッチで配置されて成る。以上のことから、情報要素群（４−３）をネガ画像として形成した場合も、背景要素群（４−３）を形成する要素（６−３）と、情報要素群（５−３）を形成する白抜き要素（７−３）を取り囲むベタ部分は、重複しないように構成する。印刷画像（３−３）は、背景要素群（４−３）を形成している複数の要素（６−３）と、それを取り囲むベタ部分が作り出したフラットなベタ画像の中に、情報要素群（５−３）を形成している白抜き要素（７−３）が配置されることで、低い面積率の部分が形成され、その面積率の差によって濃淡が生じることで「ＣＯＰＹ」の文字が視認される。本実施例３において、背景要素群（４−３）の面積率は約３５％であり、情報要素群（５−３）の面積率（非印刷面積率）は、約１０％である。なお、実施例３における情報要素群（５−３）とは、非印刷部である白抜きの要素（７−３）を複数配置した要素群のことであり、情報要素群（５−３）の面積率とは、背景要素郡（４−３）内に配置されて成る非印刷部の面積率のことである。
【００８１】
図１６に、背景要素群（４−３）を構成している二つの要素群を示す。図１６（ａ）に第一の印刷要素群（８−３）を示し、図１６（ｂ）に第二の印刷要素群（９−３）を示す。（ａ）に示す第一の印刷要素群（８−３）は、アルファベットの「ＯＫ」の文字を示す構成であり、（ｂ）に示す第二の印刷要素群（９−３）は、背景要素群（４−３）の中から第一の印刷要素群（８−３）の「ＯＫ」の文字を抜いた構成となっている。
【００８２】
図１７に、第一のインキと第二のインキで形成されて成る、それぞれの画像を示す。（ａ）は、第二のインキで形成する画像であり、情報要素群（５−３）と第二の印刷要素群（９−３）が組み合わさった構成となっている。図１７（ａ）に示す画像を表４に示す配合で作製した第二のインキを用いてオフセット印刷で基材（２−３）上に印刷した。（ｂ）は、第一のインキで形成する画像であり、第一の印刷要素群（８−３）のみで構成されている。図１８（ｂ）に示す画像を、表５に示す配合で作製した第一のインキを用いてオフセット印刷で基材（２−３）上に印刷した。
【００８３】
【表４】
2011110745.tif 000006
【００８４】
【表５】
2011110745.tif 000007
【００８５】
第一のインキと第二のインキは青色であって、第一のインキは第二のインキよりも低光沢である。第一のインキと第二のインキは、基材に同じ面積率で印刷した場合には、拡散反射光が支配的な観察角度領域における観察において等色に観察され、正反射光が支配的な観察角度領域における観察では色彩が異なり、第一のインキで印刷した画像が第二のインキで印刷した画像よりも暗く見える。
【００８６】
本発明の実施例３における効果について、図１８を用いて説明する。本発明の潜像印刷物（１−３）を拡散反射光が支配的な観察角度領域で観察した場合には、第一のインキで形成された第一の印刷要素群（８−３）と、第二のインキで形成された第二の印刷要素群（９−３）は、ほぼ等色に視認されることから、観察者には、図１８（ａ）に示す「ＣＯＰＹ」の文字から成る印刷画像（３−３）が、青色のベタの中に白抜きで視認することができる。
【００８７】
また、本発明の潜像印刷物（１−３）を正反射が支配的な観察角度領域で観察した場合には、第二のインキで形成された第二の印刷要素群（９−３）及び情報要素群（５−３）は、光を強く反射することで淡く知覚されてフラットの単一な階調として視認され、第一のインキで形成された第一の印刷要素群（８−３）は、第二のインキで形成された第一の印刷要素群（９−３）及び情報要素群（５−３）よりも暗く視認されることから、観察者には、図１８（ｂ）に示すように第一のインキによって形成される「ＯＫ」の文字から成る第一の印刷要素群（８−３）のみを視認することができる。
【００８８】
以上のように、拡散反射光が支配的な観察角度領域で観察した場合には、背景要素群（４−２）の中に情報要素群（５−３）を形成することでインキ間の光沢差よりも面積率の差によって生じた濃淡が強調され、「ＣＯＰＹ」の文字から成る印刷画像（３−３）が周辺のベタ塗り領域よりも淡く視認され、正反射光が支配的な観察角度領域で観察した場合には、第一のインキによって形成される「ＯＫ」の文字から成る第一の印刷要素群（８−３）が基材（２−３）よりも暗く視認される。このように、拡散反射光が支配的な環境下と正反射光が支配的な環境下の観察において、全く相関のない異なる画像を確認することができた。
【実施例４】
【００８９】
本発明の実施例４について、図１９から図２２を用いて説明をする。実施例４では、基材（２−３）として一般的な白い色のコート紙（日本製紙株式会社製）を用いた。
【００９０】
図１９（ａ）に、本発明における潜像印刷物（１−４）を示す。潜像印刷物（１−４）は、基材（２−４）の上に、基材と異なる色を有する印刷画像（３−４）が形成されており、印刷画像（３−４）は、図１９（ｂ）に示す背景要素群（４−４）と図１９（ｃ）に示す情報要素群（５−４）から構成されている。図１９（ｂ）に示す背景要素群（４−４）は、直径０．４５ｍｍの網点を成した要素（６−４）が、０．５ｍｍピッチで規則的に配置されることで一定の階調を有して視認される。また、図１９（ｃ）に示す情報要素群（５−４）は、背景要素群（４−４）を形成している要素（６−４）に接したベタ塗りの要素（７−４）によって形成されて成る。要素としてベタ塗りの要素で形成した場合も、背景要素群（４−４）を形成する要素（６−４）と、情報要素群（５−４）を形成する要素（７−４）は、重複しないように構成する必要がある。背景印刷画像（３−４）は、背景要素群（４−４）を形成している複数の要素（６−４）が作り出したフラットな階調の中に、情報要素群（５−４）を形成している要素（７−４）が配置されることで、その配置された部分に背景要素群（４−４）よりも高い面積率の部分が生じ、その面積率の差によって濃淡が生まれて「ＣＯＰＹ」の文字が視認される。本実施例４において、背景要素群（４−４）の面積率は、約６４％であり、情報要素群（５−４）の面積率は、約３６％である。
【００９１】
図２０に、背景要素群（４−４）を構成している二つの要素群を示す。図２０（ａ）に第一の印刷要素群（８−４）を示し、図２０（ｂ）に第二の印刷要素群（９−４）を示す。（ａ）に示す第一の印刷要素群（８−４）は、アルファベットの「ＯＫ」の文字を示す構成であり、（ｂ）に示す第二の印刷要素群（９−４）は、背景要素群（４−４）の中から第一の印刷要素群（８−４）の「ＯＫ」の文字を抜いた構成となっている。
【００９２】
図２１に、第一のインキと第二のインキで形成されて成る、それぞれの画像を示す。（ａ）は、第二のインキで形成する画像であり、情報要素群（５−４）と第二の印刷要素群（９−４）が組み合わさった構成となっている。図２１（ａ）に示す画像を表６に示す配合で作製した第二のインキを用いてオフセット印刷で基材（２−４）上に印刷した。（ｂ）は、第一のインキで形成する画像であり、第一の印刷要素群（８−４）のみで構成されている。図２１（ｂ）に示す画像を、表７に示す配合で作製した第一のインキを用いてオフセット印刷で基材（２−３）上に印刷した。
【００９３】
【表６】
2011110745.tif 000008
【００９４】
【表７】
2011110745.tif 000009
【００９５】
第一のインキと第二のインキは赤色であって、第一のインキは第二のインキよりも低光沢である。第一のインキと第二のインキは、基材に同じ面積率で印刷した場合には、拡散反射光が支配的な観察角度領域における観察において等色に観察され、正反射光が支配的な観察角度領域における観察では色彩が異なり、第一のインキで印刷した画像が第二のインキで印刷した画像よりも暗く見える。
【００９６】
本発明の実施例４における効果について、図２２を用いて説明する。本発明の潜像印刷物（１−４）を拡散反射光が支配的な観察角度領域で観察した場合には、第一のインキで形成された第一の印刷要素群（８−４）と、第二のインキで形成された第二の印刷要素群（９−４）は、ほぼ等色に視認されることから、観察者には、図２２（ａ）に示す「ＣＯＰＹ」の文字から成る印刷画像（３−４）が、赤色で視認することができる。
【００９７】
また、本発明の潜像印刷物（１−４）を正反射が支配的な観察角度領域で観察した場合には、第二のインキで形成された第二の印刷要素群（９−４）及び情報要素群（５−４）は、光を強く反射することで淡く知覚されてフラットな単一な階調として視認され、第一のインキで形成された第一の印刷要素群（８−４）は、第二のインキで形成された第一の印刷要素群（９−４）及び情報要素群（５−４）よりも暗く視認されることから、観察者には、図２２（ｂ）に示すように第一のインキによって形成される「ＯＫ」の文字から成る第一の印刷要素群（８−４）のみを視認することができる。
【００９８】
以上のように、拡散反射光が支配的な観察角度領域で観察した場合には、背景要素群（４−４）の中に情報要素群（５−４）を形成することでインキ間の光沢差よりも面積率の差によって生じた濃淡が強調されて「ＣＯＰＹ」の文字から成る印刷画像（３−４）が淡い赤色で視認され、正反射光が支配的な観察角度領域で観察した場合には、第一のインキによって形成される「ＯＫ」の文字から成る第一の印刷要素群（８−４）が基材（２−４）よりも暗く視認される。このように、拡散反射光が支配的な環境下と正反射光が支配的な環境下の観察において、全く相関のない異なる画像を確認することができた。
【実施例５】
【００９９】
本発明の実施例５について、図２３から図２６を用いて説明をする。実施例５では、基材（２−５）として一般的な白い色のコート紙（日本製紙株式会社製）を用いた。
【０１００】
図２３（ａ）に、本発明における潜像印刷物（１−５）を示す。潜像印刷物（１−５）は、基材（２−５）の上に、基材と異なる色を有する印刷画像（３−５）が形成されており、印刷画像（３−５）は、図２３（ｂ）に示す背景要素群（４−５）と図２３（ｃ）に示す情報要素群（５−５）から構成されている。図２３（ｂ）に示す背景要素群（４−５）は、画線幅０．３ｍｍの画線を成した要素（６−５）が、０．５ｍｍピッチで規則的に配置されることで一定の階調を有して視認される。また、図２３（ｃ）に示す情報要素群（５−５）は、背景要素群（４−５）を形成している要素（６−５）に接した画線幅０．２ｍｍの画線を成した要素（７−５）が、０．５ｍｍピッチで配置されて成る。要素として接した画線の要素で形成した場合も、背景要素群（４−５）を形成する要素（６−５）と、情報要素群（５−５）を形成する要素（７−５）は、重複しないように交互に構成する必要がある。つまり、印刷画像（３−５）は、背景要素群（４−５）を形成している複数の要素（６−５）が作り出したフラットな階調の中に、情報要素群（５−５）を形成している要素（７−５）が配置されることで、その配置された部分に背景要素群（４−５）よりも高い面積率の部分が生じ、その面積率の差がよって濃淡が生まれて「ＣＯＰＹ」の文字が視認される。本実施例５において、背景要素群（４−４）の面積率は、約６０％であり、情報要素群（５−４）の面積率は、約４０％である。
【０１０１】
図２４に、背景要素群（４−５）を構成している二つの要素群を示す。図２４（ａ）に第一の印刷要素群（８−５）を示し、図２４（ｂ）に第二の印刷要素群（９−５）を示す。（ａ）に示す第一の印刷要素群（８−５）は、アルファベットの「ＯＫ」の文字を示す構成であり、（ｂ）に示す第二の印刷要素群（９−５）は、背景要素群（４−５）の中から第一の印刷要素群（８−５）の「ＯＫ」の文字を抜いた構成となっている。
【０１０２】
図２５に、第一のインキと第二のインキで形成されて成る、それぞれの画像を示す。（ａ）は、第二のインキで形成する画像であり、情報要素群（５−５）と第二の印刷要素群（９−５）が組み合わさった構成となっている。図２５（ａ）に示す画像を表２に示した配合で作製した第二のインキを用いてオフセット印刷で基材（２−５）上に印刷した。（ｂ）は、第一のインキで形成する画像であり、第一の印刷要素群（８−５）のみで構成されている。図２５（ｂ）に示す画像を、表１に示した配合で作製したインキを用いてオフセット印刷で基材（２−５）上に印刷した。
【０１０３】
第一のインキと第二のインキは灰色であって、第一のインキは第二のインキよりも低光沢である。第一のインキと第二のインキは、基材に同じ面積率で印刷した場合には、拡散反射光が支配的な観察角度領域における観察において等色に観察され、正反射光が支配的な観察角度領域における観察では、色彩が異なり、第一のインキで印刷した画像が第二のインキで印刷した画像よりも暗く見える。
【０１０４】
本発明の実施例５における効果について、図２６を用いて説明する。本発明の潜像印刷物（１−５）を拡散反射光が支配的な観察角度領域で観察した場合には、第一のインキで形成された第一の印刷要素群（８−５）と、第二のインキで形成された第二の印刷要素群（９−５）は、ほぼ等色に視認されることから、観察者には、図２６（ａ）に示す「ＣＯＰＹ」の文字から成る印刷画像（３−５）が、灰色で視認することができる。
【０１０５】
また、本発明の潜像印刷物（１−５）を正反射が支配的な観察角度領域で観察した場合には、第二のインキで形成された第二の印刷要素群（９−５）及び情報要素群（５−５）は、光を強く反射することで淡く知覚されてフラットな単一な階調として視認され、第一のインキで形成された第一の印刷要素群（８−５）は、第二のインキで形成された第一の印刷要素群（９−５）及び情報要素群（５−５）よりも暗く視認されることから、観察者には、図２６（ｂ）に示すように第一のインキによって形成される「ＯＫ」の文字から成る第一の印刷要素群（８−５）のみを視認することができる。
【０１０６】
以上のように、拡散反射光が支配的な観察角度領域で観察した場合には、背景要素群（４−５）の中に情報要素群（５−５）を形成することでインキ間の光沢差よりも面積率の差によって生じた濃淡が強調されて「ＣＯＰＹ」の文字から成る印刷画像（３−５）が淡い灰色で視認され、正反射光が支配的な観察角度領域で観察した場合には、第一のインキによって形成される「ＯＫ」の文字から成る第一の印刷要素群（８−５）が暗く視認される。このように、拡散反射光が支配的な環境下と正反射光が支配的な環境下の観察において、全く相関のない異なる画像を確認することができた。
【実施例６】
【０１０７】
本発明の実施例６について、図２７から図３０を用いて説明をする。実施例６では、基材（２−６）として一般的な白い色のコート紙（日本製紙株式会社製）を用いた。
【０１０８】
図２７（ａ）に、本発明における潜像印刷物（１−６）を示す。潜像印刷物（１−６）は、基材（２−６）の上に、基材と異なる色を有する印刷画像（３−６）が形成されており、印刷画像（３−６）は、図２７（ｂ）に示す背景要素群（４−６）と図２７（ｃ）に示す情報要素群（５−６）から構成されている。図２７（ｂ）に示す背景要素群（４−６）は、直径０．２５ｍｍの網点を成した要素（６−６）が、０．３ｍｍピッチで規則的に配置されることで一定の階調を有して視認される。また、図２７（ｃ）に示す情報要素群（５−６）は、背景要素群（４−６）を形成している要素（６−６）より微細な目視困難な網点によって階調を表現した要素（７−６）によって形成されて成る。要素として階調のある要素で形成した場合も、背景要素群（４−６）を形成する要素（６−６）と、情報要素群（５−６）を形成する要素（７−６）は、重複しないように構成する必要がある。つまり、印刷画像（３−６）は、背景要素群（４−６）を形成している複数の要素（６−６）が作り出したフラットな階調の中に、情報要素群（５−６）を形成している要素（７−６）が配置されることで、その配置された部分に背景要素群（４−６）よりも高い面積率の部分が生じ、その面積率の差によって濃淡が生まれ「蝶」の画像が視認される。本実施例６において、背景要素群（４−６）の面積率は、約５５％であり、情報要素群（５−６）の面積率は、約０〜４５％である。
【０１０９】
図２８に、背景要素群（４−６）を構成している二つの要素群を示す。図２８（ａ）に第一の印刷要素群（８−６）を示し、図２８（ｂ）に第二の印刷要素群（９−６）を示す。（ａ）に示す第一の印刷要素群（８−６）は、アルファベットの「ＯＫ」の文字を示す構成であり、（ｂ）に示す第二の印刷要素群（９−６）は、背景要素群（４−６）の中から第一の印刷要素群（８−６）の「ＯＫ」の文字を抜いた構成となっている。
【０１１０】
図２９に、第一のインキと第二のインキで形成されて成る、それぞれの画像を示す。（ａ）は、第二のインキで形成する画像であり、情報要素群（５−６）と第二の印刷要素群（９−６）が組み合わさった構成となっている。図２９（ａ）に示す画像を表２に示した配合で作製した第二のインキを用いてオフセット印刷で基材（２−６）上に印刷した。（ｂ）は、第一のインキで形成する画像であり、第一の印刷要素群（８−６）のみで構成されている。図２９（ｂ）に示す画像を、表１に示した配合で作製した第一のインキを用いてオフセット印刷で基材（２−６）上に印刷した。
【０１１１】
第一のインキと第二のインキは灰色であって、第一のインキは第二のインキよりも低光沢である。第一のインキと第二のインキは、基材に同じ面積率で印刷した場合には、拡散反射光が支配的な観察角度領域における観察において等色に観察され、正反射光が支配的な観察角度領域における観察では色彩が異なり、第一のインキで印刷した画像が第二のインキで印刷した画像よりも暗く見える。
【０１１２】
本発明の実施例６における効果について、図３０を用いて説明する。本発明の潜像印刷物（１−６）を拡散反射光が支配的な観察角度領域で観察した場合には、第一のインキで形成された第一の印刷要素群（８−６）と、第二のインキで形成された第二の印刷要素群（９−６）は、ほぼ等色に視認されることから、観察者には、図３０（ａ）に示す蝶の階調画像から成る印刷画像（３−６）が、灰色で視認することができる。
【０１１３】
また、本発明の潜像印刷物（１−６）を正反射が支配的な観察角度領域で観察した場合には、第二のインキで形成された第二の印刷要素群（９−６）及び情報要素群（５−６）は、光を強く反射することで淡く知覚されて、フラットの単一な階調として視認され、第一のインキで形成された第一の印刷要素群（８−６）は、第二のインキで形成された第一の印刷要素群（９−６）及び情報要素群（５−６）よりも暗く視認されることから、観察者には、図３０（ｂ）に示すように第一のインキによって形成される「ＯＫ」の文字から成る第一の印刷要素群（８−６）のみを視認することができる。
【０１１４】
以上のように、拡散反射光が支配的な観察角度領域で観察した場合には、背景要素群（４−５）の中に情報要素群（５−６）を形成することでインキ間の光沢差よりも面積率の差によって生じた濃淡が強調されて蝶の階調画像から成る印刷画像（３−６）が淡い灰色で視認され、正反射光が支配的な観察角度領域で観察した場合には、第一のインキによって形成される「ＯＫ」の文字から成る第一の印刷要素群（８−６）が暗く視認される。このように、拡散反射光が支配的な環境下と正反射光が支配的な環境下の観察において、全く相関のない異なる画像を確認することができた。
【符号の説明】
【０１１５】
１、１−１、１−２、１−３、１−４、１−５、１−６  潜像印刷物
２、２−１、２−２、２−３、２−４、２−５、２−６  基材
３、３−１、３−２、３−３、３−４、３−５、３−６  印刷画像
４、４−１、４−２、４−３、４−４、４−５、４−６  背景要素群
５、５−１、５−２、５−３、５−４、５−５、５−６  情報要素群
６、６−１、６−２、６−３、６−４、６−５、６−６  背景要素群を形成する要素
７、７−１、７−２、７−３、７−４、７−５、７−６  情報要素群を形成する要素
８、８−１、８−２、８−３、８−４、８−５、８−６  第一の印刷要素群
９、９−１、９−２、９−３、９−４、９−５、９−６  第二の印刷要素群
１０  第一の印刷サンプルの受光角度別の明度Ｌ＊
１１  第二の印刷サンプルの受光角度別の明度Ｌ＊
１２  第一の印刷サンプルと第二の印刷サンプルの受光角度別の色差ΔＥ
【図１】
2011110745.tif 000010
【図２】
2011110745.tif 000011
【図３】
2011110745.tif 000012
【図４】
2011110745.tif 000013
【図５】
2011110745.tif 000014
【図６】
2011110745.tif 000015
【図７】
2011110745.tif 000016
【図８】
2011110745.tif 000017
【図９】
2011110745.tif 000018
【図１０】
2011110745.tif 000019
【図１１】
2011110745.tif 000020
【図１２】
2011110745.tif 000021
【図１３】
2011110745.tif 000022
【図１４】
2011110745.tif 000023
【図１５】
2011110745.tif 000024
【図１６】
2011110745.tif 000025
【図１７】
2011110745.tif 000026
【図１８】
2011110745.tif 000027
【図１９】
2011110745.tif 000028
【図２０】
2011110745.tif 000029
【図２１】
2011110745.tif 000030
【図２２】
2011110745.tif 000031
【図２３】
2011110745.tif 000032
【図２４】
2011110745.tif 000033
【図２５】
2011110745.tif 000034
【図２６】
2011110745.tif 000035
【図２７】
2011110745.tif 000036
【図２８】
2011110745.tif 000037
【図２９】
2011110745.tif 000038
【図３０】
2011110745.tif 000039